(57)【要約】【課題】ゴルフボールの打球時において、より指向性が高い打球音を発し、打球音をユーザーに効率的に聞き取らせること。【解決手段】ゴルフクラブヘッド１００は、内部空間を有する。また、ゴルフクラブヘッド１００は、クラウン部１２０を有する。クラウン部１２０は、一次固有振動モードで振動する領域１２４を有する。また、ゴルフクラブヘッド１００は、肉厚部１２２（第１の肉厚部）を有する。肉厚部１２２は、クラウン部１２０の内部空間側の面に設けられている。特に、肉厚部１２２は、領域１２４の縁部に沿うように設けられている。【選択図】図２
2011156073.tif 000002
【特許請求の範囲】
【請求項１】
内部空間を有するゴルフクラブヘッドであって、
クラウン部の前記内部空間側の面において、一次固有振動モードで振動する領域の縁部に沿うように設けられた第１の肉厚部
を有することを特徴とするゴルフクラブヘッド。
【請求項２】
フェース部の前記内部空間側の面に設けられた第２の肉厚部
をさらに有し、
前記第１の肉厚部は、
前記第２の肉厚部から延伸して設けられた
ことを特徴とする請求項１に記載のゴルフクラブヘッド。
【請求項３】
前記領域は、
前記クラウン部の他の領域よりも肉厚が薄い
ことを特徴とする請求項１または２に記載のゴルフクラブヘッド。
【発明の詳細な説明】
【技術分野】
【０００１】
本発明は、ゴルフクラブヘッドに関する。
【背景技術】
【０００２】
特許文献１（段落００４４）には、一次乃至三次の固有振動モードにおいて、振幅が最大となる部分がフェース部またはクラウン部となるように、各部の形状や肉厚を変化させたり、リブを設けたりすることで各部の剛性を調整することが記載されている。また、特許文献１（段落００４８）には、クラウン部にリブを設けることにより、クラウン部の肉薄化を達成しつつ、クラウン部の剛性を向上させることが記載されている。
【先行技術文献】
【特許文献】
【０００３】
【特許文献１】特開２００５−１４３５８９号公報
【発明の概要】
【発明が解決しようとする課題】
【０００４】
しかしながら、上記技術では、ゴルフボールの打球時には、指向性が低い打球音がゴルフクラブヘッド全面から発せられるため、打球音をユーザーに効率的に聞き取らせることができない。そこで、本発明は、ゴルフボールの打球時において、より指向性が高い打球音を発し、打球音をユーザーに効率的に聞き取らせることができるゴルフクラブヘッドおよびゴルフクラブを提供することを目的とする。
【課題を解決するための手段】
【０００５】
上記課題を解決するため、本発明は、内部空間を有するゴルフクラブヘッドであって、クラウン部の前記内部空間側の面において、一次固有振動モードで振動する領域の縁部に沿うように設けられた第１の肉厚部を有することを特徴とするゴルフクラブヘッドを提供する。また、本発明は、フェース部の前記内部空間側の面に設けられた第２の肉厚部をさらに有し、前記第１の肉厚部は、前記第２の肉厚部から延伸して設けられたことを特徴とするゴルフクラブヘッドを提供する。また、本発明は、前記領域は、前記クラウン部の他の領域よりも肉厚が薄いことを特徴とするゴルフクラブヘッドを提供する。
【発明の効果】
【０００６】
本発明のゴルフクラブヘッドによれば、クラウン部における一次固有振動モードで振動する領域を積極的に振動させることができる。これにより、より指向性の高い打球音を、ゴルフクラブヘッドから上方に向けて発することができる。したがって、ゴルフボールの打球時において、より指向性が高い打球音を発し、打球音をユーザーに効率的に聞き取らせることができる。
【図面の簡単な説明】
【０００７】
【図１】第１実施例に係るゴルフクラブヘッド１０の外観を示す。
【図２】第１実施例に係るゴルフクラブヘッド１００の外観を示す。
【図３】第１実施例に係るゴルフクラブヘッド１００のフェース部１１０およびクラウン部１２０の構造を示す。
【図４】第１実施例に係るゴルフクラブヘッド１００の上方からの外観を示す。
【図５】第１実施例に係るゴルフクラブヘッド１００のＡ−Ａ断面を示す。
【図６】第２実施例に係るゴルフクラブヘッド１００のフェース部１１０およびクラウン部１２０の構造を示す。
【図７】第３実施例に係るゴルフクラブヘッド１００のフェース部１１０およびクラウン部１２０の構造を示す。
【図８】第４実施例に係るゴルフクラブヘッド１００のフェース部１１０およびクラウン部１２０の構造を示す。
【図９】第５実施例に係るゴルフクラブヘッド１００のフェース部１１０およびクラウン部１２０の構造を示す。
【図１０】第６実施例に係るゴルフクラブヘッド１００のフェース部１１０およびクラウン部１２０の構造を示す。
【図１１】第７実施例に係るゴルフクラブヘッド１００の上方からの外観を示す。
【図１２】第８実施例に係るゴルフクラブヘッド１００の上方からの外観を示す。
【図１３】第９実施例に係るゴルフクラブヘッド１００の断面を示す。
【発明を実施するための形態】
【０００８】
＜第１実施例＞
図１は、第１実施例に係るゴルフクラブ１０の外観を示す。ゴルフクラブ１０は、ゴルフクラブヘッド１００、クラブシャフト２００、およびシャフトグリップ３００を備える。クラブシャフト２００のゴルフクラブヘッド１００側の端部は、ゴルフクラブヘッド１００のホーゼル部１４０に形成された孔に差し込まれ、接着剤などによってゴルフクラブヘッド１００に接着されている。クラブシャフト２００のシャフトグリップ３００側の端部においては、その外周面がある程度の幅を有してシャフトグリップ３００によって覆われている。
【０００９】
図２は、第１実施例に係るゴルフクラブヘッド１００の外観を示す。ゴルフクラブヘッド１００は、フェース部１１０、クラウン部１２０、ソール部１３０、およびホーゼル部１４０を有する。ゴルフクラブヘッド１００にはチタン等の金属材料が用いられている。ゴルフクラブヘッド１００は、中空構造を有している。ホーゼル部１４０には、クラブシャフトが差し込まれる孔１４２が形成されている。
【００１０】
図３は、第１実施例に係るゴルフクラブヘッド１００のフェース部１１０およびクラウン部１２０の構造を示す。図３は、フェース部１１０およびクラウン部１２０を展開したものを示したものであって、フェース部１１０およびクラウン部１２０の内部空間側の面（以下、「裏面」と示す。）を示したものである。なお、図３では、便宜上、ソール部１３０およびホーゼル部１４０の図示は省略している。図４は、第１実施例に係るゴルフクラブヘッド１００の上方（クラウン部１２０の表面方向）からの外観を示す。また、図５は、第１実施例に係るゴルフクラブヘッド１００のＡ−Ａ断面を示す。
【００１１】
図２−図５に示すように、クラウン部１２０の裏面には、本発明の第１の肉厚部に相当する肉厚部１２２が設けられている。肉厚部１２２とは、クラウン部１２０の他の部分よりも、肉厚が厚い部分を示す。肉厚部１２２は、リブと呼ばれることもある。ここで、肉厚部１２２は、クラウン部１２０の領域１２４のトウ側の縁部およびヒール側の縁部のそれぞれ沿って、領域１２４を囲むようにして設けられている。領域１２４は、ゴルフボールの打球時に、一次固有振動モードで振動する領域である。領域１２４は、モード中心点１２６を含んでいる。モード中心点１２６とは、領域１２４に生じる一次固有振動モードの中心点を示す。クラウン部１２０における領域１２４は、たとえば、ゴルフクラブヘッド１００に対するモーダル解析をおこなうことよって求められる。領域１２４は、クラウン部１２０の１０％〜９０％の領域であることが好ましい。より好ましくは、領域１２４は、クラウン部１２０における、フェース部１１０寄りの１／３〜１／２の領域であることが好ましい。
【００１２】
一方、図２および図３に示すように、フェース部１１０の裏面には、本発明の第２の肉厚部に相当する肉厚部１１２が設けられている。具体的には、フェース部１１０の裏面には、斜め方向に延伸し、フェース部１１０の中央で互いに交差することによってＸ字形状をなす肉厚部１１２Ａおよび肉厚部１１２Ｂと、フェース部の中央で縦方向（クラウン部１２０およびソール部１３０方向）に延伸する肉厚部１１２Ｃとが設けられている。肉厚部１１２とは、フェース部１１０の他の部分よりも、肉厚が厚い部分を示す。肉厚部１１２は、主にフェース部１１０の反発力を調整するため、およびフェース部の強度を補うために設けられている。肉厚部１１２は、リブと呼ばれることもある。ここで、クラウン部１２０の肉厚部１２２は、フェース部１１０の肉厚部１１２の延長線上に設けられている。特に、肉厚部１２２は、肉厚部１１２から延伸して設けられている。すなわち、肉厚部１２２は、肉厚部１１２と一体的に成型されている。
【００１３】
ここで、図５に示すように、領域１２４は、クラウン部１２０の他の領域よりも、肉厚が薄くなっている。特に、領域１２４は、モード中心点１２６の部分で最も肉厚が薄くなるように、他の領域から徐々に肉厚が薄くなるよう形成されている。領域１２４の肉厚は、０．１ｍｍ〜０．９ｍｍであることが好ましい。一方、ソール部１３０は、ゴルフボールの打球時でも十分な剛性を備える形状を有している。これにより、ソール部１３０とクラウン部１２０とが共振してしまうことを防止している。
【００１４】
このように構成されたゴルフクラブヘッド１００においては、ゴルフボールの打球時にフェース部１１０に生じた一次固有振動モードの振動が、フェース部１１０の裏面に設けられた肉厚部１１２を通じて、肉厚部１１２の延長線上に設けられている肉厚部１２２に伝播する。これにより、領域１２４のトウ側の縁部およびヒール側の縁部は、上方に押し上げられ、肉厚部１２２に囲まれている領域１２４は、より積極的に、フェース部１１０に生じた一次固有振動モードの振動とは逆位相、かつ４０００〜７０００Ｈｚの範囲内の一次固有振動モードで振動し、より指向性の高い打球音を、上方に向けて発する。特に、実施例１のゴルフクラブヘッド１００においては、肉厚部１２２が肉厚部１１２から延伸して設けられていることで、ゴルフボールの打球時にフェース部１１０に生じた振動を肉厚部１２２へより効率的に伝達することができる。さらに、肉厚部１２２に囲まれている領域１２４が他の領域よりも肉厚が薄くなっているため、領域１２４をより積極的に振動させることができる。この結果、より指向性の高い打球音を、領域１２４から上方に向けて発し、効率的にユーザーに聞き取らせることができる。
【００１５】
＜第２実施例＞
図６は、第２実施例に係るゴルフクラブヘッド１００のフェース部１１０およびクラウン部１２０の構造を示す。第２実施例のゴルフクラブヘッド１００は、斜め方向に延伸する肉厚部１１２Ａおよび肉厚部１１２Ｂが設けられておらず、フェース部１１０の中央において縦方向に延伸する肉厚部１１２Ｃが設けられている点で、第１実施例のゴルフクラブヘッド１００と相違する。これに応じて、肉厚部１１２Ｃは、１本の肉厚部１１２Ｃから分岐し、フェース部１１０の上方の縁部に沿って、トウ方向およびヒール方向のそれぞれに延伸している。そして、トウ方向に延伸する肉厚部１１２Ｃは、領域１２４のトウ側の縁部に沿って設けられている肉厚部１２２へと延伸し、ヒール方向に延伸する肉厚部１１２Ｃは、領域１２４のヒール側の縁部に沿って設けられている肉厚部１２２へと延伸している。このように、第２実施例の肉厚部１１２の形状は、第１実施例の肉厚部１１２の形状と異なるが、肉厚部１２２へと延伸しているという点で共通している。したがって、第２実施例のゴルフクラブヘッド１００は、第１実施例のゴルフクラブヘッド１００と同様に、ゴルフボールの打球時にフェース部１１０に生じた振動を肉厚部１１２を通じてクラウン部１２０の肉厚部１２２に伝播させ、領域１２４のトウ側の縁部およびヒール側の縁部のそれぞれを上方に押し上げることにより、領域１２４をより積極的に一次固有振動モードで振動させ、より指向性の高い打球音を、上方に向けて発することができる。このように、肉厚部１１２は、肉厚部１２２へと延伸しているものであればよく、この形状は、第１実施例および第２実施例で説明したものに限定するものではない。
【００１６】
＜第３実施例、第４実施例＞
図７は、第３実施例に係るゴルフクラブヘッド１００のフェース部１１０およびクラウン部１２０の構造を示す。図８は、第４実施例に係るゴルフクラブヘッド１００のフェース部１１０およびクラウン部１２０の構造を示す。第３実施例および第４実施例のゴルフクラブヘッド１００は、第１実施例および第２実施例のゴルフクラブヘッド１００と異なり、肉厚部１２２が肉厚部１１２から延伸して設けられていない。すなわち、肉厚部１２２と肉厚部１１２とが一体的に成型されていない。しかしながら、肉厚部１２２は、肉厚部１１２の延長線上には設けられている。このため、ゴルフボールの打球時にフェース部１１０に生じた振動は、肉厚部１１２、および肉厚部１１２と肉厚部１２２との間の部分を通じて、肉厚部１２２に伝播し、領域１２４のトウ側の縁部およびヒール側の縁部のそれぞれを上方に押し上げることができる。これにより、第３実施例および第４実施例のゴルフクラブヘッド１００は、第１実施例および第２実施例のゴルフクラブヘッド１００と同様に、領域１２４をより積極的に一次固有振動モードで振動させ、より指向性の高い打球音を、上方に向けて発することができる。このように、肉厚部１２２は、肉厚部１１２の延長線上に設けられていればよく、肉厚部１１２から延伸して設けられていなくてもよい。なお、肉厚部１２２が肉厚部１１２から延伸して設けられていない構成とすることで、肉厚部１２２への振動の伝播性能に影響が生じる。このため、このような構成とする場合には、領域１２４を好適に振動させることができるように、シミュレーション結果、実験結果等に基づいて、肉厚部１２２の位置、サイズ、形状や、肉厚部１１２と肉厚部１２２との間隔等を適切に設定することが好ましい。
【００１７】
＜第５実施例、第６実施例＞
図９は、第５実施例に係るゴルフクラブヘッド１００のフェース部１１０およびクラウン部１２０の構造を示す。図１０は、第６実施例に係るゴルフクラブヘッド１００のフェース部１１０およびクラウン部１２０の構造を示す。第５実施例および第６実施例のゴルフクラブヘッド１００は、第３実施例および第４実施例のゴルフクラブヘッド１００と異なり、領域１２４のトウ側の縁部にのみ肉厚部１２２が設けられている。このため、ゴルフボールの打球時にフェース部１１０に生じた振動は、肉厚部１１２を通じて、肉厚部１２２に伝播し、領域１２４のトウ側の縁部を上方に押し上げることができる。このような構成とした場合であっても、領域１２４をより積極的に一次固有振動モードで振動させ、より指向性の高い打球音を、上方に向けて発することができる。このように、肉厚部１２２は、少なくとも領域１２４のトウ側の縁部またはヒール側の縁部の一方に設けられていればよく、領域１２４のトウ側の縁部およびヒール側の縁部の双方に設けられていなくてもよい。なお、領域１２４のヒール側の縁部にのみ肉厚部１２２が設けられている構成としてもよい。
【００１８】
＜第７実施例＞
図１１は、第７実施例に係るゴルフクラブヘッド１００の上方からの外観を示す。第７実施例のゴルフクラブヘッド１００は、肉厚部１２２が領域１２４の後側（フェース部１１０側の反対側）の縁部から、トウ側の縁部およびヒール側の縁部のそれぞれに沿って延伸して設けられている点で、これまでに説明したゴルフクラブヘッド１００と相違する。このような構成とした場合であっても、ゴルフボールの打球時にフェース部１１０に生じた振動は、肉厚部１１２、および肉厚部１１２と肉厚部１２２との間の部分を通じて、肉厚部１２２に伝播し、領域１２４のトウ側の縁部およびヒール側の縁部のそれぞれを上方に押し上げることができる。これにより、第７実施例のゴルフクラブヘッド１００は、これまでに説明したゴルフクラブヘッド１００と同様に、領域１２４をより積極的に一次固有振動モードで振動させ、より指向性の高い打球音を、上方に向けて発することができる。このように、肉厚部１２２は、少なくとも領域１２４の縁部の一部に沿って設けられているものであればよく、肉厚部１１２から延伸していなくてもよく、肉厚部１１２の延長線上に延伸していなくてもよい。なお、肉厚部１２２が肉厚部１１２から延伸して設けられていない構成とすることで、肉厚部１２２への振動の伝播性能に影響が生じる。このため、このような構成とする場合には、領域１２４を好適に振動させることができるように、シミュレーション結果、実験結果等に基づいて、肉厚部１２２の位置、サイズ、形状や、肉厚部１１２と肉厚部１２２との間隔等を適切に設定することが好ましい。
【００１９】
＜第８実施例＞
図１２は、第８実施例に係るゴルフクラブヘッド１００の上方からの外観を示す。第８実施例に係るゴルフクラブヘッド１００は、領域１２４において、等方かつ網目状の肉厚部１２８が設けられている点で、これまでに説明したゴルフクラブヘッド１００と相違する。第８実施例に係るゴルフクラブヘッド１００によれば、肉厚部１２８を設けたことにより、肉薄化によって不足した領域１２４の強度を補うことができる。特に、等方かつ網目状にすることで、領域１２４の振動への影響を抑えつつ、領域１２４の強度を効率的に補うことができる。なお、肉厚部１２８は、領域１２４の強度を補うことができるものであればよく、その形状は、等方かつ網目状に限定するものではない。
【００２０】
＜第９実施例＞
図１３は、第９実施例に係るゴルフクラブヘッド１００の断面を示す。第９実施例に係るゴルフクラブヘッド１００は、領域１２４の表面が平坦な面形状を有している点で、これまでに説明したゴルフクラブヘッド１００と相違する。第９実施例に係るゴルフクラブヘッド１００によれば、領域１２４の表面を平坦な面形状としたことにより、領域１２４の振動を増幅することができる。これにより、より指向性の高い打球音を、領域１２４から上方に向けて発し、ユーザーに聞き取らせることができる。
【００２１】
＜変形例＞
以上、第１実施例−第９実施例について説明したが、本発明は上述した第１実施例−第９実施例に限定されることなく、他の様々な形態で実施可能である。例えば、上述の第１実施例−第９実施例を変形して本発明を実施してもよい。たとえば、領域１２４の残響時間を長くすることを目的として、領域１２４に、ゴルフクラブヘッド１００本体の素材よりも減衰性能が低い素材を用いてもよい。たとえば、ゴルフクラブヘッド１００本体の素材がチタンの場合、領域１２４に、これよりも減衰性能が低いステンレスなどの素材を用い、これを本体に溶接接合してもよい。
【符号の説明】
【００２２】
１００…ゴルフクラブヘッド、１１０…フェース部、１１２…肉厚部、１２０…クラウン部、１２２…肉厚部、１２４…領域、１２６…モード中心点、１２８…肉厚部、１３０…ソール部、１４０…ホーゼル部、１４２…孔
【図１】
2011156073.tif 000003
【図２】
2011156073.tif 000004
【図３】
2011156073.tif 000005
【図４】
2011156073.tif 000006
【図５】
2011156073.tif 000007
【図６】
2011156073.tif 000008
【図７】
2011156073.tif 000009
【図８】
2011156073.tif 000010
【図９】
2011156073.tif 000011
【図１０】
2011156073.tif 000012
【図１１】
2011156073.tif 000013
【図１２】
2011156073.tif 000014
【図１３】
2011156073.tif 000015